(57)【要約】【課題】  携帯端末で視聴中の番組を据え置き型ＴＶで連続して視聴するため、据え置き型ＴＶのチャンネルを類似番組に切り替える。【解決手段】  携帯端末１００は、電話回路部１０１と、テレビジョン放送波を受信し出力するＴＶ回路部１１０と、ＴＶチューナー１３０を遠隔制御するリモコン送信回路部１０４と、電子番組表データを抽出する番組情報抽出部１２１と、電子番組表データから付帯情報を抜き出し変換するリモコンデータ生成部１２２を備え、ＴＶチューナー１３０は、テレビジョン放送波を受信し出力するＴＶ回路部１４０と、携帯端末１００から送信されたリモコンデータを受信可能なリモコン受信回路部１３４と、受信した付帯情報で、電子番組表の付帯情報を比較し、付帯情報が一致又は類似する番組を検索する関連番組検索部１５０を備え、関連番組検索部１５０で検索した番組に切り替えるチャンネル切替部１３６を備える。【選択図】  図１
2006319680.tif 000002
【特許請求の範囲】
【請求項１】
ＴＶ放送を受信し、受信した放送番組を表示する携帯端末と、携帯端末から送信される制御コマンドを受信するＴＶチューナーから構成されるテレビシステムにおいて、
前記携帯端末は、
音声または映像付き音声の発着信および通話が可能な電話回路部と、
映像および音声信号と共に放送番組や各番組に関する付帯情報を含む電子番組表を含んだテレビジョン放送波を受信し、ユーザ操作によって選択された番組を復調して出力することが可能なＴＶ回路部と、
前記ＴＶチューナーを遠隔制御するリモコン送信回路部と、
前記ＴＶ回路部によって選択表示されている番組に関する前記電子番組表データを抽出する番組情報抽出部と、
前記番組情報抽出部で抽出した前記電子番組表データから付帯情報を抜き出し、前記ＴＶチューナーで認識可能なデータ形式に変換するリモコンデータ生成部を備え、
前記ＴＶチューナーは、
映像および音声信号と共に放送番組や各番組に関する付帯情報を含む電子番組表を含んだテレビジョン放送波を受信し、ユーザ操作によって選択された番組を復調して出力することが可能なＴＶ回路部と、
前記携帯端末から送信されたリモコンデータを受信可能なリモコン受信回路部と、
前記リモコン受信回路部で受信した付帯情報で、前記ＴＶ回路部で受信した電子番組表の付帯情報を比較し、付帯情報が一致又は類似する番組を検索する関連番組検索部を備え、
前記ＴＶ回路部で受信出力している番組を前記関連番組検索部で検索した番組に切り替えるチャンネル切替部を備えたことを特徴とするテレビシステム。
【請求項２】
前記携帯端末のリモコンデータ生成部は、少なくとも１種類以上の付帯情報をリモコンデータとして生成して送信し、
前記関連番組検索部は、受信した付帯情報ごとに任意の点数を設け、付帯情報比較結果ごとに番組に当該付帯情報の点数を加算し、
前記チャンネル切替部は、最終的に最も点数の高い番組に切り替えることを特徴とする請求項１記載のテレビシステム。
【請求項３】
前記携帯端末のリモコンデータ生成部は、少なくとも１種類以上の付帯情報をリモコンデータとして生成して送信し、
前記関連番組検索部は、受信した付帯情報ごとに任意の点数を設け、付帯情報比較結果ごとに番組に当該付帯情報の点数を加算するとともに、点数順位による番組リストを生成し、前記番組リストよりユーザが任意に番組を選択可能とすることを特徴とする請求項１記載のテレビシステム。
【請求項４】
前記携帯端末でＴＶ放送視聴中に、前記電話回路部が電話着信を受けたことを契機に、付帯情報の抽出およびリモコン送信を行うことを特徴とする請求項１記載のテレビシステム。
【請求項５】
インターネットによるＴＶ放送を受信し、受信した放送番組を表示する携帯端末と、携帯端末から送信される制御コマンドを受信するＴＶチューナーから構成されるテレビシステムにおいて、
前記携帯端末は、
インターネット等通信回線を通して映像および音声信号を受信し、出力することが可能な動画放送受信回路部と、
前記ＴＶチューナーを遠隔制御するリモコン送信回路部と、
前記動画放送受信回路部によって選択表示されている番組に関する付帯情報を前記インターネット等通信回線を通して取得する番組情報抽出部と、
前記番組情報抽出部で抽出した番組付帯情報を前記ＴＶチューナーで認識可能なデータ形式に変換するリモコンデータ生成部を備え、
前記ＴＶチューナーは、
映像および音声信号と共に放送番組や各番組に関する付帯情報を含む電子番組表を含んだテレビジョン放送波を受信し、ユーザ操作によって選択された番組を復調して出力することが可能なＴＶ回路部と、
前記携帯端末から送信されたリモコンデータを受信可能なリモコン受信回路部と、
前記リモコン受信回路部で受信した付帯情報で、前記ＴＶ回路部で受信した電子番組表の付帯情報を比較し、付帯情報が一致又は類似する番組を検索する関連番組検索部を備え、
前記ＴＶ回路部で受信出力している番組を前記関連番組検索部で検索した番組に切り替えるチャンネル切替部を備えたことを特徴とするテレビシステム。
【請求項６】
ＴＶ放送を受信し、受信した放送番組を表示するとともに、ＴＶチューナーに制御コマンドを送信する携帯端末において、
音声または映像付き音声の発着信および通話が可能な電話回路部と、
映像および音声信号と共に放送番組や各番組に関する付帯情報を含む電子番組表を含んだテレビジョン放送波を受信し、ユーザ操作によって選択された番組を復調して出力することが可能なＴＶ回路部と、
前記ＴＶチューナーを遠隔制御するリモコン送信回路部と、
前記ＴＶ回路部によって選択表示されている番組に関する前記電子番組表データを抽出する番組情報抽出部と、
前記番組情報抽出部で抽出した前記電子番組表データから付帯情報を抜き出し、前記ＴＶチューナーで認識可能なデータ形式に変換するリモコンデータ生成部を備えたことを特徴とする携帯端末。
【請求項７】
携帯端末から送信される制御コマンドを受信するＴＶチューナーにおいて、
映像および音声信号と共に放送番組や各番組に関する付帯情報を含む電子番組表を含んだテレビジョン放送波を受信し、ユーザ操作によって選択された番組を復調して出力することが可能なＴＶ回路部と、
前記携帯端末から送信されたリモコンデータを受信可能なリモコン受信回路部と、
前記リモコン受信回路部で受信した付帯情報で、前記ＴＶ回路部で受信した電子番組表の付帯情報を比較し、付帯情報が一致又は類似する番組を検索する関連番組検索部を備え、
前記ＴＶ回路部で受信出力している番組を前記関連番組検索部で検索した番組に切り替えるチャンネル切替部を備えたことを特徴とするＴＶチューナー。
【請求項８】
ＴＶ放送を受信し、受信した放送番組を表示するとともに、ＴＶチューナーに制御コマンドを送信する携帯端末で動作するプログラムにおいて、
音声または映像付き音声の発着信および通話が可能な電話機能ステップと、
映像および音声信号と共に放送番組や各番組に関する付帯情報を含む電子番組表を含んだテレビジョン放送波を受信し、ユーザ操作によって選択された番組を復調して出力することが可能なＴＶ機能ステップと、
前記ＴＶチューナーを遠隔制御するリモコン送信機能ステップと、
前記ＴＶ機能ステップによって選択表示されている番組に関する前記電子番組表データを抽出する番組情報抽出ステップと、
前記番組情報抽出ステップで抽出した前記電子番組表データから付帯情報を抜き出し、前記ＴＶチューナーで認識可能なデータ形式に変換するリモコンデータ生成ステップを備えたことを特徴とする携帯端末で動作するプログラム。
【請求項９】
携帯端末から送信される制御コマンドを受信するＴＶチューナーで動作するプログラムにおいて、
映像および音声信号と共に放送番組や各番組に関する付帯情報を含む電子番組表を含んだテレビジョン放送波を受信し、ユーザ操作によって選択された番組を復調して出力することが可能なＴＶ機能ステップと、
前記携帯端末から送信されたリモコンデータを受信可能なリモコン受信機能ステップと、
前記リモコン受信機能ステップで受信した付帯情報で、前記ＴＶ回路部で受信した電子番組表の付帯情報を比較し、付帯情報が一致又は類似する番組を検索する関連番組検索ステップを備え、
前記ＴＶ機能ステップで受信出力している番組を前記関連番組検索ステップで検索した番組に切り替えるチャンネル切替ステップを備えたことを特徴とするＴＶチューナーで動作するプログラム。
【発明の詳細な説明】
【技術分野】
【０００１】
本発明は、ＴＶ放送を受信し、受信した放送番組を表示する携帯端末と、携帯端末から送信される制御コマンドを受信するＴＶチューナーとで構成するテレビシステムに関する。
【背景技術】
【０００２】
近年、携帯電話の高機能化に伴い、一般家庭等に据え置く従来型ＴＶ（以後、「据え置き型ＴＶ」と記述）のリモコン機能を成すために、赤外線ポートを備えた携帯電話が登場してきた。
このような携帯電話によるＴＶリモコンでは、携帯電話のボタンをＴＶリモコンのボタンに置き換えただけの単純なものから、インターネット回線などを介してＴＶ放送の電子番組表（ＥＰＧ：Ｅｌｅｃｔｒｏｎｉｃ  Ｐｒｏｇｒａｍ  Ｇｕｉｄｅ）をダウンロードし、同ＥＰＧを携帯電話のＬＣＤ画面上に表示して据え置き型ＴＶのリモコン操作を行うなど、高機能なものまで存在する。
また、近年、テレビ放送の電波を受信してテレビ映像や音声を出力することが可能な携帯電話型ＴＶが登場してきており、前記ＥＰＧは携帯電話型ＴＶのチャンネル操作に用いることも可能となっている。
現時点では、携帯電話型ＴＶで受信可能な放送は地上波アナログ放送のみだが、既に地上波デジタル放送に対応した携帯電話型ＴＶの開発が進められている。また、今後は、移動体向け衛星放送「モバＨＯ！」（モバイル放送株式会社）に代表されるモバイル放送や、インターネット通信回線を利用したインターネット放送など、多種多様な放送方式の番組が受信可能になることが予想される。
【０００３】
これら放送番組には、同じ時間に同類の番組を放送することが多々ある。例えば、競馬放送などは、地上波放送、衛星放送、モバイル放送、インターネット放送など多種類の放送手段により、同一の番組あるいは異なる番組を通じて、同一のレースを同一の時間に放送しており、視聴者は受信端末仕様、電波条件、契約の有無、出演者の好み、カメラ操作の好み、など、自己の都合に合わせて番組を選択し、視聴することができる。
ところで、携帯電話型ＴＶの最大の利点は、いつでもどこでもテレビ放送を視聴することが出来ることである。したがって、電車内や歩きながらでもテレビ放送を楽しむことができる。
【０００４】
その反面、携帯電話型ＴＶは携帯可能なゆえに表示画面が小さく、細かい映像が認識しにくい。また、長時間視聴していると目が疲れるなどの問題点もある。そこで、ユーザが携帯電話型ＴＶを視聴しながら帰宅し、続きを家庭のテレビジョン受像器で視聴するというユースケースが発生することが考えられる。
しかしながら、現在の状況下では、前記のユースケースの場合、携帯電話型ＴＶで視聴中の番組のチャンネル確認後、据え置き型テレビジョン用リモコンでの電源オン操作やチャンネル切り替え操作が必要であり、これらの操作の間に目線が携帯電話型ＴＶから離れるため、見たいシーンを見逃す可能性がある。
特許文献１に記載された発明は、前記ユースケースの課題を解決する一手段であり、携帯電話型ＴＶで視聴中の番組のチャンネル情報を携帯電話型ＴＶが備える赤外線ポートより据え置き型ＴＶに送信し、ＴＶのチャンネルを切り替えるというものである。
【特許文献１】特開２００４−２２８６３９号公報
【発明の開示】
【発明が解決しようとする課題】
【０００５】
ところが、先に述べたように携帯電話型ＴＶは多種多様な放送方式から番組を受信することができるため、必ずしも携帯電話型ＴＶで見ている番組が据え置き型ＴＶで受信可能とは限らない。
例えば、携帯電話型ＴＶで視聴中の番組がモバイル専用放送であった場合、チャンネル情報を据え置き型ＴＶに送ったとしても、据え置き型ＴＶでは受信できないチャンネルであるか、または偶然同じチャンネル番号を持つ全く別の放送局であったりする可能性があり、チャンネル情報を送っただけでは、ユーザの意図する放送を視聴することができるとは限らない。
また、地上波デジタル放送のように携帯電話型ＴＶと据え置き型ＴＶの両方とも同じチャンネルで受信可能な番組であっても、視聴契約が必要な放送局のチャンネルであった場合、携帯電話型ＴＶのみの契約だけでは据え置き型ＴＶで視聴することはできない。
【０００６】
本発明は、このような課題に鑑みてなされたものであり、携帯電話型ＴＶで視聴中のチャンネルが据え置き型ＴＶでは視聴不可能な場合、据え置き型ＴＶのチャンネルを携帯電話型ＴＶで視聴中の番組に類似した番組に切り替えることで、据え置き型ＴＶで連続して視聴することを可能とするテレビシステムを提供することを目的とする。
【課題を解決するための手段】
【０００７】
請求項１に係る発明のテレビシステムは、ＴＶ放送を受信し、受信した放送番組を表示する携帯端末と、携帯端末から送信される制御コマンドを受信するＴＶチューナーから構成されるテレビシステムにおいて、前記携帯端末は、音声または映像付き音声の発着信および通話が可能な電話回路部と、映像および音声信号と共に放送番組や各番組に関する付帯情報を含む電子番組表を含んだテレビジョン放送波を受信し、ユーザ操作によって選択された番組を復調して出力することが可能なＴＶ回路部と、前記ＴＶチューナーを遠隔制御するリモコン送信回路部と、前記ＴＶ回路部によって選択表示されている番組に関する前記電子番組表データを抽出する番組情報抽出部と、前記番組情報抽出部で抽出した前記電子番組表データから付帯情報を抜き出し、前記ＴＶチューナーで認識可能なデータ形式に変換するリモコンデータ生成部を備え、前記ＴＶチューナーは、映像および音声信号と共に放送番組や各番組に関する付帯情報を含む電子番組表を含んだテレビジョン放送波を受信し、ユーザ操作によって選択された番組を復調して出力することが可能なＴＶ回路部と、前記携帯端末から送信されたリモコンデータを受信可能なリモコン受信回路部と、前記リモコン受信回路部で受信した付帯情報で、前記ＴＶ回路部で受信した電子番組表の付帯情報を比較し、付帯情報が一致又は類似する番組を検索する関連番組検索部を備え、前記ＴＶ回路部で受信出力している番組を前記関連番組検索部で検索した番組に切り替えるチャンネル切替部を備えたことを特徴とする。
【０００８】
請求項２に係る発明のテレビシステムの、前記携帯端末のリモコンデータ生成部は、少なくとも１種類以上の付帯情報をリモコンデータとして生成して送信し、前記関連番組検索部は、受信した付帯情報ごとに任意の点数を設け、付帯情報比較結果ごとに番組に当該付帯情報の点数を加算し、前記チャンネル切替部は、最終的に最も点数の高い番組に切り替えることを特徴とする。
【０００９】
請求項３に係る発明のテレビシステムの、前記携帯端末のリモコンデータ生成部は、少なくとも１種類以上の付帯情報をリモコンデータとして生成して送信し、前記関連番組検索部は、受信した付帯情報ごとに任意の点数を設け、付帯情報比較結果ごとに番組に当該付帯情報の点数を加算するとともに、点数順位による番組リストを生成し、前記番組リストよりユーザが任意に番組を選択可能とすることを特徴とする。
【００１０】
請求項４に係る発明のテレビシステムは、前記携帯端末でＴＶ放送視聴中に、前記電話回路部が電話着信を受けたことを契機に、付帯情報の抽出およびリモコン送信を行うことを特徴とする。
【００１１】
請求項５に係る発明のテレビシステムは、インターネットによるＴＶ放送を受信し、受信した放送番組を表示する携帯端末と、携帯端末から送信される制御コマンドを受信するＴＶチューナーから構成されるテレビシステムにおいて、前記携帯端末は、インターネット等通信回線を通して映像および音声信号を受信し、出力することが可能な動画放送受信回路部と、前記ＴＶチューナーを遠隔制御するリモコン送信回路部と、前記動画放送受信回路部によって選択表示されている番組に関する付帯情報を前記インターネット等通信回線を通して取得する番組情報抽出部と、前記番組情報抽出部で抽出した番組付帯情報を前記ＴＶチューナーで認識可能なデータ形式に変換するリモコンデータ生成部を備え、前記ＴＶチューナーは、映像および音声信号と共に放送番組や各番組に関する付帯情報を含む電子番組表を含んだテレビジョン放送波を受信し、ユーザ操作によって選択された番組を復調して出力することが可能なＴＶ回路部と、前記携帯端末から送信されたリモコンデータを受信可能なリモコン受信回路部と、前記リモコン受信回路部で受信した付帯情報で、前記ＴＶ回路部で受信した電子番組表の付帯情報を比較し、付帯情報が一致又は類似する番組を検索する関連番組検索部を備え、前記ＴＶ回路部で受信出力している番組を前記関連番組検索部で検索した番組に切り替えるチャンネル切替部を備えたことを特徴とする。
【００１２】
請求項６に係る発明の携帯端末は、ＴＶ放送を受信し、受信した放送番組を表示するとともに、ＴＶチューナーに制御コマンドを送信する携帯端末において、音声または映像付き音声の発着信および通話が可能な電話回路部と、映像および音声信号と共に放送番組や各番組に関する付帯情報を含む電子番組表を含んだテレビジョン放送波を受信し、ユーザ操作によって選択された番組を復調して出力することが可能なＴＶ回路部と、前記ＴＶチューナーを遠隔制御するリモコン送信回路部と、前記ＴＶ回路部によって選択表示されている番組に関する前記電子番組表データを抽出する番組情報抽出部と、前記番組情報抽出部で抽出した前記電子番組表データから付帯情報を抜き出し、前記ＴＶチューナーで認識可能なデータ形式に変換するリモコンデータ生成部を備えたことを特徴とする。
【００１３】
請求項７に係る発明のＴＶチューナーは、携帯端末から送信される制御コマンドを受信するＴＶチューナーにおいて、映像および音声信号と共に放送番組や各番組に関する付帯情報を含む電子番組表を含んだテレビジョン放送波を受信し、ユーザ操作によって選択された番組を復調して出力することが可能なＴＶ回路部と、前記携帯端末から送信されたリモコンデータを受信可能なリモコン受信回路部と、前記リモコン受信回路部で受信した付帯情報で、前記ＴＶ回路部で受信した電子番組表の付帯情報を比較し、付帯情報が一致又は類似する番組を検索する関連番組検索部を備え、前記ＴＶ回路部で受信出力している番組を前記関連番組検索部で検索した番組に切り替えるチャンネル切替部を備えたことを特徴とする。
【００１４】
請求項８に係る発明の携帯端末で動作するプログラムは、ＴＶ放送を受信し、受信した放送番組を表示するとともに、ＴＶチューナーに制御コマンドを送信する携帯端末で動作するプログラムにおいて、音声または映像付き音声の発着信および通話が可能な電話機能ステップと、映像および音声信号と共に放送番組や各番組に関する付帯情報を含む電子番組表を含んだテレビジョン放送波を受信し、ユーザ操作によって選択された番組を復調して出力することが可能なＴＶ機能ステップと、前記ＴＶチューナーを遠隔制御するリモコン送信機能ステップと、前記ＴＶ機能ステップによって選択表示されている番組に関する前記電子番組表データを抽出する番組情報抽出ステップと、前記番組情報抽出ステップで抽出した前記電子番組表データから付帯情報を抜き出し、前記ＴＶチューナーで認識可能なデータ形式に変換するリモコンデータ生成ステップを備えたことを特徴とする。
【００１５】
請求項９に係る発明のＴＶチューナーで動作するプログラムは、携帯端末から送信される制御コマンドを受信するＴＶチューナーで動作するプログラムにおいて、映像および音声信号と共に放送番組や各番組に関する付帯情報を含む電子番組表を含んだテレビジョン放送波を受信し、ユーザ操作によって選択された番組を復調して出力することが可能なＴＶ機能ステップと、前記携帯端末から送信されたリモコンデータを受信可能なリモコン受信機能ステップと、前記リモコン受信機能ステップで受信した付帯情報で、前記ＴＶ回路部で受信した電子番組表の付帯情報を比較し、付帯情報が一致又は類似する番組を検索する関連番組検索ステップを備え、前記ＴＶ機能ステップで受信出力している番組を前記関連番組検索ステップで検索した番組に切り替えるチャンネル切替ステップを備えたことを特徴とする。
【発明の効果】
【００１６】
本発明によれば、携帯電話型ＴＶでのみ視聴可能な番組を継続して据え置き型ＴＶで視聴するために、現在視聴中の番組のＥＰＧデータから付帯情報を抜き出し、前記付帯情報を用いて据え置き型ＴＶのＥＰＧデータから類似番組を検索し、チャンネルを切り替えるため、携帯電話型ＴＶのみで視聴可能な番組であっても継続して同類の番組を据え置き型ＴＶで視聴可能となる。
【００１７】
本発明によれば、検索した番組に対し付帯情報毎の一致度合いにより点数を設けることで、複数ある類似番組候補から最も類似している番組を選択することが可能となる。したがって、類似番組の検索精度が向上し、据え置き型ＴＶで引き続き視聴する類似番組をユーザの所望する番組により近いものとすることが可能となる。
【００１８】
本発明によれば、検索した番組に対し付帯情報毎の一致度合いにより点数を設け、一致度合いの高いものから順に候補リストを作成し、ユーザによって候補リストを切り替えることができるようになるため、よりユーザの所望する番組の視聴が可能となる。また、ＥＰＧや新聞の番組欄を参照することなく、同様の番組が存在することを知ることが可能となる。
【００１９】
本発明によれば、携帯電話型ＴＶ視聴中に電話着信があった場合、ユーザが意識しなくても据え置き型ＴＶで類似番組による続きの放送が開始されるため、電話着信による重要なシーンの見逃しを防ぐことができる。
【発明を実施するための最良の形態】
【００２０】
以下、本発明を適用した具体的な実施の形態について図面を参照しながら詳細に説明する。
まず、本例のテレビシステムにおける据え置き型ＴＶでの受信チャンネルについて定義しておく。図３は据え置き型ＴＶにおけるＥＰＧ画面の一例である。列ｃｈ００１、ｃｈ００２、ｃｈ００３、ＢＳ００１、ＢＳ００２は、それぞれ据え置き型ＴＶの受信可能チャンネルを示しており、チャンネル毎の列が番組表となっている。白黒反転セルとなっている「競馬パラダイス」は番組選択カーソルの位置を示しており、ここで決定操作を行うと「競馬パラダイス」への番組切替が行われる。左端下部の２重枠線内は、現在カーソルが存在する番組のＥＰＧ詳細情報が表示されている。携帯電話型ＴＶの場合、画面の大きさ上、据え置き型ＴＶと全く同じ表示方法を取ることは困難であるが、基本的な構成は同様である。
【００２１】
図４、図５、図６、図７、図８は、図３で示したＥＰＧ画面において、１５：００現在に据え置き型ＴＶ向けに放送されている番組のＥＰＧデータを可視化した例である。それぞれ、図４はｃｈ００１「日本のおやつ」、図５はｃｈ００２「ニュース」、図６はｃｈ００３「競馬パラダイス」、図７はＢＳ００１「ガッツ競馬」、図８はＢＳ００２「競馬回顧録」のＥＰＧデータを示している。
本例の各番組ごとのＥＰＧデータは、複数のキー種別とキー内容で構成している。キー種別として、チャンネル、放送日、開始時間、終了時間、タイトル、出演者、内容、ジャンル、キーワードが存在する。チャンネル、放送日、開始時間、終了時間、タイトルは放送番組を特定することができる基本情報である。出演者、内容、ジャンル、キーワードは、放送番組に付加された付帯情報である。この付帯情報からは番組を特定することはできないが、ある程度まで絞り込むことは可能である。なお、図３では、２重枠線内の表示情報とＥＰＧデータのキー情報の数が一致していないが、これはＥＰＧ画面で全てのＥＰＧデータを表示していないためであり、必ずしもＥＰＧデータの内容をユーザが全て確認できるとは限らないことを表す。
【００２２】
（実施の形態１）
第１の実施の形態は、携帯端末として携帯電話型ＴＶ、ＴＶチューナーとして据え置き型ＴＶを使用し、携帯電話型ＴＶで視聴中の番組に関する付帯情報を据え置き型ＴＶに送信し、据え置き型ＴＶにて付帯情報が類似する番組を検索し、発見した番組にチャンネルを切り替えるテレビシステムの例である。
【００２３】
図１は、第１の実施の形態の一例を示すテレビシステムの構成図である。
まず、携帯電話型ＴＶ１００の構成について説明する。携帯電話型ＴＶ１００は、音声または映像付き音声の発着信および通話が可能な電話回路部１０１と、後述するＴＶ回路部１１０と、携帯電話の各アプリケーション画面やＴＶ回路部１１０からの出力映像を表示するＬＣＤ１０２と、同様に音声を出力するスピーカ１０３と、据え置き型ＴＶ１３０のチャンネル操作等の制御信号を送信するリモコン送信回路部１０４と、ＴＶ回路部１１０を介してＬＣＤ１０２およびスピーカ１０３で出力する番組をユーザが選択するための選局ボタン１１５と、ユーザが携帯電話型ＴＶ１００で視聴中の番組を継続して据え置き型ＴＶ１３０で視聴することを開始するためのリモコン転送ボタン１２０と、ＴＶ回路部１１０から現在視聴中の番組に関するＥＰＧデータを抽出する番組情報抽出部１２１と、抽出したＥＰＧデータから付帯情報を抜き取り、据え置き型ＴＶ１３０で認識可能な形式に加工するリモコンデータ生成部１２２とで構成する。
【００２４】
ここで、ＴＶ回路部１１０の基本的な動作について説明する。ＴＶ回路部１１０は、チューナー復調器１１１、出力制御１１２、ＥＰＧ１１３、ＴＶ制御１１４で構成し、選局ボタン１１５によって視聴するチャンネルへの選局が行われると、選局ボタン１１５より指定選局チャンネルへの切替要求がＴＶ制御１１４に渡される。ＴＶ制御１１４はチューナー復調器１１１で復調するチャンネルを前記指定されたチャンネルに設定する。チューナー復調器１１１で復調した映像データおよび音声データが出力制御１１２を経由し、ＬＣＤ１０２およびスピーカ１０３から出力されることで指定選局チャンネルへのチャンネル変更が完了する。また、チューナー復調器１１１は映像データおよび音声データと共に放送波から送られてくるＥＰＧデータの復調も行ない、ＥＰＧ１１３へ復調結果を格納する。
【００２５】
次に、据え置き型ＴＶ１３０の構成について説明する。据え置き型ＴＶ１３０は、後述するＴＶ回路部１４０と、ＴＶの各アプリケーション画面やＴＶ回路部１４０からの出力映像を表示するディスプレイ１３２と、同様に音声を出力するスピーカ１３３と、携帯電話型ＴＶ１００から送られてきた制御信号を受信するリモコン受信回路部１３４と、受信した制御信号を解析するリモコンデータ解析部１３５と、ＴＶ回路部１４０を介してディスプレイ１３２およびスピーカ１３３で出力する番組のチャンネルを切り替えるチャンネル切替部１３６と、携帯電話型ＴＶ１００から送られてきた付帯情報を元にＴＶ回路部１４０から付帯情報が一致する番組を検索する関連番組検索部１５０とで構成する。
ＴＶ回路部１４０は、チューナー復調器１４１と、出力制御１４２と、ＥＰＧ１４３と、ＴＶ制御１４４で構成する。ＴＶ回路部１４０の動作はチャンネル切替要求がチャンネル切替部１３６によって行われることを除けばＴＶ回路部１１０と同じであるため、説明は省略する。
【００２６】
本構成において、携帯電話型ＴＶ１００で視聴中の番組を引き続き据え置き型ＴＶ１３０で視聴する場合の動作を図２のフローチャートを用いて説明する。
本フローチャートは、携帯電話型ＴＶ１００で番組視聴中にリモコン転送ボタン１２０が押下された所から開始する。リモコン転送ボタン１２０が押下されると、ステップＳ２０１に移行する。
ステップＳ２０１では、番組情報抽出部１２１が現在視聴している番組のＥＰＧデータを取得する。ＥＰＧデータの取得は、番組情報抽出部１２１からＴＶ制御１１４に対し、現在ＴＶ回路部１１０から出力されている番組のＥＰＧデータ取得を要求する。ＴＶ制御１１４は、ＥＰＧ１１３から、現在ＬＣＤ１０２で出力されている番組に関するＥＰＧデータを取得し、番組情報抽出部１２１に前記取得したＥＰＧデータを返す。番組情報抽出部１２１は取得したＥＰＧデータをリモコンデータ生成部１２２に引渡し、ステップＳ２０２へ移行する。
次にステップＳ２０２では、リモコンデータ生成部１２２がＥＰＧデータから付帯情報を抜き出し、据え置き型ＴＶ１３０のリモコンデータ解析部１３５にて認識可能な形式に付帯情報を加工し、リモコンデータを生成する。そして、生成したリモコンデータをリモコン送信回路部１０４へ引き渡し、ステップＳ２０３へ移行する。なお、リモコンデータの形式については、据え置き型ＴＶ１３０と携帯電話型ＴＶ１００との間で取り決められた形式であればよく、特に本発明で規定するものではないため、ここでの説明は省略する。また、リモコンデータに含まれるデータとしては、少なくとも付帯情報による番組検索およびチャンネル切替を要求していることが認識できる情報、および付帯情報が含まれていれば良い。
ステップＳ２０３では、リモコン送信回路部１０４より、前記生成したリモコンデータを据え置き型ＴＶ１３０のリモコン受信回路部１３４に向けて送信する。
【００２７】
次のステップＳ２０４以降は据え置き型ＴＶ１３０内の処理ステップとなる。
まず、ステップＳ２０４で、リモコンデータ受信回路部１３４がリモコンデータを受信し、ステップＳ２０５へ移行する。
ステップＳ２０５では、リモコンデータ解析部１３５が受け取ったリモコンデータを解析し、付帯情報による番組検索およびチャンネル切替が要求されたことを認識し、関連番組検索部１５０に付帯情報を引き渡してステップＳ２０６へ移行する。
ステップＳ２０６では、関連番組検索部１５０がＴＶ制御１４４を介して、任意のチャンネルで現在放送されている番組に関するＥＰＧデータをＥＰＧ１４３より取得する。このＥＰＧデータには、少なくともチャンネル、付帯情報、視聴可否フラグが含まれる。視聴可否フラグは、同チャンネルの放送が据え置き型ＴＶ１３０で視聴可能か否かを示すフラグであり、通常視聴可が設定されるが、同チャンネルに対して視聴契約が必要でありながら視聴契約されていないケースや、ＢＳ／ＣＳなどチャンネルに対応するアンテナが設置されていないケース、その他不特定の要素によりＴＶ制御１４４が視聴不可と判断した場合に視聴不可が設定される。
【００２８】
ステップＳ２０７ａでは、関連番組検索部１５０にて携帯電話型ＴＶ１００から送られてきた付帯情報とＴＶ制御１４４から取得したＥＰＧデータに含まれる付帯情報が類似するか比較する。ステップＳ２０７ｂは比較結果による分岐を示し、類似と判定した場合ステップＳ２０９へ、類似しないと判定した場合ステップＳ２０８へ移行する。
類似しないと判断された場合の移行先ステップＳ２０８では、現在放送されている全ての番組について比較したかをチェックし、全ての番組に対して行われていなければ、ステップＳ２０６へ戻り、前回とは異なるチャンネルの番組で同様の処理を繰り返す。
類似すると判断された場合の移行先ステップＳ２０９では、関連番組検索部１５０が前記視聴可否フラグを用いて、付帯情報が一致した番組のチャンネルが据え置き型ＴＶ１３０で視聴可能であるか調べる。視聴可能であれば、チャンネル切替部１３６に切替チャンネル情報を引き渡し、ステップＳ２１０へ移行する。同チャンネルが視聴不可な場合は、Ｓ２０８へ移行する。
ステップＳ２１０では、チャンネル切替部１３６が指定されたチャンネルに切り替えるようＴＶ制御１４４へ要求することで、チャンネル切替が完了する。なお、ＴＶ制御１４４へ要求後のＴＶ回路部１４０によるチャンネル切替処理については、既に説明済みのため、ここでは省略する。
【００２９】
次に図４、図５、図６、図７、図８のＥＰＧデータから、本実施の形態における動作例について説明する。なお、ここでは、ステップＳ２０７ｂの類似判定のアルゴリズムとして、キー種別ごとにキー内容が包含されているかを判定し、５０％以上のキー種別において包含されていた場合類似と認定するアルゴリズムを用いる。
携帯電話型ＴＶ１００で視聴中の番組が「競馬パラダイス」をモバイル専用放送として放送している「競馬パラダイスモバイル」とし、モバイル専用放送におけるＥＰＧデータは図９のようになっているとする。図９より、「競馬パラダイスモバイル」のチャンネルはｍｂ００１となっているが、据え置き型ＴＶ１３０で受信可能なチャンネルは、ｃｈ００１、ｃｈ００２、ｃｈ００３、ＢＳ００１、ＢＳ００２のみなので、ｍｂ００１を据え置き型ＴＶ１３０に送っても継続視聴はできない。
そこで、本実施の形態では付帯情報を据え置き型ＴＶ１３０に送る。ステップＳ２０６において、ｃｈ００１から順に前記アルゴリズムを用いた付帯情報の比較を行なう。ｃｈ００１「日本のおやつ」、ｃｈ００２「ニュース」は共にキー内容に類似性が無いが、ｃｈ００３の「競馬パラダイス」はキー内容に類似性が発見できる。また、４件中４件のキー種別が類似しているため、５０％以上の条件もクリアしている。したがって、本例では、ｃｈ００３にチャンネルを切り替えることとなる。
もし、「競馬パラダイス」が据え置き型ＴＶ１３０で視聴不可チャンネルだった場合、ステップＳ２０９にて視聴不可と判断されるため、ステップＳ２０８へ移行し、次の類似番組を検索する。チャンネルＢＳ１００「ガッツ競馬」と比較を行うと、４件中３件のキー内容に類似性が見られるため、５０％以上の条件をクリアしたので、類似認定となり「ガッツ競馬」へチャンネルを切り替える。
なお、本例では類似と判定するケースを「キー種別数の５０％以上でキー内容が包含された場合」としたが、キー種別ごとに比較データを細分化したり閾値を上げることで、類似番組の検索精度をより高いものにすることができる。
【００３０】
（実施の形態２）
第２の実施の形態は、付帯情報のキー種別ごとに点数を設け、据え置き型ＴＶでの類似番組検索中に各番組ごとにＥＰＧ付帯情報に要求されたキー種別毎に付帯情報をを比較し、類似と判定された場合に当該番組に対して付帯情報毎の点数を加算し、最終的に最も点数の高い番組にチャンネルを切り替えるテレビシステムの例である。
図１０は、本実施の形態におけるテレビシステムの構成図である。図１０において、図１と同じ構成要素については同じ符号を用い、説明を省略する。図１０の構成図では、図１の構成に、付加情報のキー種別ごとに掛かる点数をあらかじめ決定しておくデータベースとなる点数ＤＢ１５１と、関連番組検索部１５０にて付帯情報一致度数が最も高い番組のチャンネル情報を示す切替候補１５２と、を追加している。
【００３１】
本構成における処理フローについて図１１を用いて説明する。本フローチャートは、携帯電話型ＴＶ１００で番組視聴中にリモコン転送ボタン１２０が押下され、携帯電話型ＴＶ１００で視聴中の番組に関するＥＰＧ付帯情報を据え置き型ＴＶ１３０が受信した後の関連番組検索部１５０からの処理を開始時点としている。これは、図２のフローチャートのステップＳ２０６からに相当する。図２のフローチャートのステップＳ２０１からＳ２０５までに相当する処理は、本実施の形態でも同様のため、図１１での表記は省略する。
まず、ステップＳ１１０１では、関連番組検索部１５０がＴＶ制御１４４を介して、任意のチャンネルで現在放送されている番組に関するＥＰＧデータをＥＰＧ１４３より取得する。このＥＰＧデータに含まれるデータ詳細は、実施の形態１と同様とし、少なくともチャンネル、付帯情報、視聴可否フラグが含まれるものとする。
ステップＳ１１０２ａでは、関連番組検索部１５０にて携帯電話型ＴＶ１００から送られてきた付帯情報の任意のキー種別を対象に、前記取得したＥＰＧデータに含まれる付帯情報と比較を行う。比較結果による処理分岐はステップＳ１１０２ｂで判断され、付帯情報が類似した場合はステップＳ１１０３へ、類似しない場合はステップＳ１１０５へ移行する。
ステップＳ１１０３では、関連番組検索部１５０にて点数ＤＢ１５１から前記比較対照キー種別に掛かる点数を取得する。
ステップＳ１１０４では、現在比較対照となっている番組に前記取得した点数を加算する。この加算結果は後に設定する切替候補１５２と同じ形式で、テンポラリ領域上に置いておく。切替候補１５２の形式は、少なくともチャンネル番号データと合計点で構成する。
ステップＳ１１０５では、現在比較対照となっている番組に対し、携帯電話型ＴＶ１００から送られてきた付帯情報の全キー種別に対して比較処理を行ったかを確認する。全キー種別に対する比較が完了すればステップＳ１１０６へ、完了していなければＳ１１０２ａに戻り別のキー種別で比較を行う。すなわち、ステップＳ１１０２ａからステップＳ１１０４までを携帯電話型ＴＶ１００から送られてきた付帯情報の全キー種別に対して完了するまで繰り返すことになる。
【００３２】
全キー種別に対する比較が完了すると、ステップＳ１１０６にて、視聴可否フラグを確認し、現在の比較対照番組が据え置き型ＴＶ１３０で視聴可能であるか調べる。視聴可能の場合はステップＳ１１０７へ、視聴不可の場合はステップＳ１１０８へ移行する。
ステップＳ１１０７では、ステップＳ１１０４で作成したテンポラリ上の切替候補を正式な切替候補１５２とする。ただし、既に切替候補１５２が存在する場合、両者の点数を比較し、より類似性の高い方を切替候補１５２に設定する。
これまで説明したステップＳ１１０１からステップＳ１１０７までの処理は、据え置き型ＴＶ１３０のＥＰＧ１４３に格納されている番組のうち、本処理を実施している時間に放送中の全番組に対して行う。そのため、ステップＳ１１０８で放送中の全番組との比較が完了したかを確認し、完了していればステップＳ１１０９へ進み、完了していなければステップＳ１１０１へ戻って前回とは異なる番組を対象にこれまでの処理を再実行する。
ステップＳ１１０８までの処理が完了すると、ステップＳ１１０９にて、切替候補１５２のチャンネル番号を用いてチャンネル切替部１３６へチャンネル切り替えを要求する。以後のチャンネル切替処理については、実施の形態１と同様のため、ここでの説明は省略する。
【００３３】
次に図４、図５、図６、図７、図８のＥＰＧデータから、本実施の形態における動作例について説明する。なお、ステップＳ１１０２ｂの類似判定処理のアルゴリズムは、指定キー内容を包含した場合類似と判定する方式とする。また、ステップＳ１１０７でのより類似性の高い番組の選択方法としては、点数合計の大きい方をより類似性が高いと判断する方式を用いる。なお、本発明はステップＳ１１０２ｂおよびステップＳ１１０７の比較アルゴリズムについて、特に規定するものではないため、実施例以外の方式をとる事は可能である。
図１４は、点数ＤＢ１５１の内部データを可視化したものである。図１４では、キー種別「出演者」について類似と判定された場合２点、「内容」は１０点、「ジャンル」は１０点、「キーワード」は２点と定義されている。また、「複数指定」が「あり」の場合、キー内容を細分化し、該当ごとに点数を加算することが可能であることを意味している。例えば、キー種別「出演者」に対して「Ａ、Ｂ、Ｃ」と「Ａ、Ｂ、Ｄ、Ｅ」を比較した場合、複数指定「なし」では０点となるが、複数指定「あり」ではＡとＢが一致するため２×２＝４点となる。複数指定の区切りは、本例では「、」とする。
携帯電話型ＴＶ１００で視聴中の番組が「競馬パラダイス」をモバイル専用放送として放送している「競馬パラダイスモバイル」とする。この「競馬パラダイスモバイル」のＥＰＧデータは図９のようになる。この状態で携帯電話型ＴＶ１００からのチャンネル切替要求を据え置き型ＴＶ１３０が受けとると、現在放送中の番組のＥＰＧデータとの比較を開始する。
ｃｈ００１「日本のおやつ」ｃｈ００２「ニュース」は共に類似該当しないため、候補リスト対象にはならない。ｃｈ００３「競馬パラダイス」は、出演者、内容、キーワード、ジャンルの４種類のキー種別が類似と判定され、なおかつ出演者とジャンルは複数で該当するため、合計点（２×３）＋１０＋１０＋（２×２）＝３０点の切替候補１５２を生成する。次にＢＳ００１「ガッツ競馬」のＥＰＧデータと比較する。「ガッツ競馬」の合計点は０＋０＋１０＋（２×２）＝１４点となり、「競馬パラダイス」３０点に対して「ガッツ競馬」１４点となることから、「ガッツ競馬」は切替候補１５２として選択されない。引き続きＢＳ００２「競馬回顧録」についても同処理を行うと、合計点は０＋０＋１０＋（２×１）＝１２点となり、こちらも切替候補１５２として選択されない。
以上で全番組の比較が終了し、切替候補１５２には「競馬パラダイス」が設定されているため、同番組へのチャンネル切替が行われる。
【００３４】
（実施の形態３）
第３の実施の形態は、携帯電話型ＴＶから複数の付帯情報を送信し、付帯情報より携帯電話型ＴＶで視聴中の番組に最も類似した番組を検索中に発見した番組のリストを生成し、同リストをＴＶ画面上に表示してユーザーに選択可能にするテレビシステムの例である。
図１２は、本実施の形態におけるテレビシステムの構成図である。図１２において、図１と同じ構成要素については同じ符号を用い、説明を省略する。図１２の構成図では、図１の構成に、付加情報のキー種別ごとに掛かる点数をあらかじめ決定しておくデータベースとなる点数ＤＢ１５１と、関連番組検索部１５０にて付帯情報一致度数にかかる点数合計に基づいてチャンネル切替番組のチャンネル番号を並べたチャンネル切替対象番組の候補リスト１５３と、作成した候補リストをテレビ画面上に表示し、別の候補リストにチャンネルを切り替えることが可能である旨をユーザに伝える候補リスト表示部１５４を追加している。
【００３５】
本構成における処理フローについて図１３を用いて説明する。本フローチャートは、携帯電話型ＴＶ１００で番組視聴中にリモコン転送ボタン１２０が押下され、携帯電話型ＴＶ１００で視聴中の番組に関するＥＰＧ付帯情報を据え置き型ＴＶ１３０が受信した後の関連番組検索部１５０からの処理を開始時点としている。これは、図２のフローチャートのステップＳ２０６からに相当する。図２のフローチャートのステップＳ２０１からＳ２０５までに相当する処理は、本実施の形態でも同様のため、図１３での表記は省略する。
まず、ステップＳ１３０１では、関連番組検索部１５０がＴＶ制御１４４を介して、任意のチャンネルで現在放送されている番組に関するＥＰＧデータをＥＰＧ１４３より取得する。このＥＰＧデータに含まれるデータ詳細は、実施の形態１と同様とし、少なくともチャンネル、付帯情報、視聴可否フラグが含まれるものとする。
ステップＳ１３０２ａでは、関連番組検索部１５０にて携帯電話型ＴＶ１００から送られてきた付帯情報の任意のキー種別を対象に、前記取得したＥＰＧデータに含まれる付帯情報と比較を行う。比較結果による処理分岐はステップＳ１３０２ｂで判断され、付帯情報が類似した場合はステップＳ１３０３へ、類似しない場合はステップＳ１３０５へ移行する。
ステップＳ１３０３では、関連番組検索部１５０にて点数ＤＢ１５１から前記比較対照キー種別に掛かる点数を取得する。
ステップＳ１３０４では、現在比較対照となっている番組に前記取得した点数を加算する。最終的な合計点数を用いて後に候補リスト１５３を生成するため、候補リスト作成用の一要素形式で合計点数を管理するのが望ましい。また、この一要素（以後「候補リスト要素」と記述）にチャンネル番号を含めることで、後のチャンネル切替の処理ステップが簡略化できるため、本ステップの説明では候補リスト要素には合計点数とチャンネル番号が含まれるものとする。
ステップＳ１３０５では、現在比較対照となっている番組に対し、携帯電話型ＴＶ１００から送られてきた付帯情報の全キー種別に対して比較処理を行ったかを確認する。全キー種別に対する比較が完了すればステップＳ１３０６へ、完了していなければＳ１３０２ａに戻り別のキー種別で比較を行う。すなわち、ステップＳ１３０２ａからステップＳ１３０４までを携帯電話型ＴＶ１００から送られてきた付帯情報の全キー種別に対して完了するまで繰り返すことになる。
【００３６】
全キー種別に対する比較が完了すると、ステップＳ１３０６にて、視聴可否フラグを確認し、現在の比較対照番組が据え置き型ＴＶ１３０で視聴可能であるか調べる。視聴可能の場合はステップＳ１３０７へ、視聴不可の場合はステップＳ１３０８へ移行する。
ステップＳ１３０７では、ステップＳ１３０４で作成した候補リスト要素を候補リスト１５３に追加する。候補リスト１５３の構成については、類似性の高い番組から順に候補リスト要素を抜き出すことが出来る構成であれば良く、例えば点数合計の大きい順に並べるなどの構成が考えられる。
これまで説明したステップＳ１３０１からステップＳ１３０７までの処理は、据え置き型ＴＶ１３０のＥＰＧ１４３に格納されている番組のうち、本処理を実施している時間に放送中の全番組に対して行う。そのため、ステップＳ１３０８で放送中の全番組との比較が完了したかを確認し、完了していればステップＳ１３０９へ進み、完了していなければステップＳ１３０１へ戻って前回とは異なる番組を対象にこれまでの処理を再実行する。
ステップＳ１３０８までの処理が完了した後のステップＳ１３０９では、候補リスト表示部１５４が候補リスト１５３に複数の候補リスト要素があることを示す表示画面を作成し、テレビ画面上に表示する。その後は、画面の表示に基づいてユーザが候補チャンネルの中から所望のチャンネルを選択する。
【００３７】
次に図４、図５、図６、図７、図８のＥＰＧデータから、本実施の形態における動作例について説明する。なお、ステップＳ１３０２ｂの類似判定処理のアルゴリズムについては、実施の形態２と同方式とする。また、点数ＤＢ１５１の構成についても同様に実施の形態２と同じものとする。
携帯電話型ＴＶ１００で視聴中の番組が「競馬パラダイス」をモバイル専用放送として放送している「競馬パラダイスモバイル」とする。この「競馬パラダイスモバイル」のＥＰＧデータは図９のようになる。この状態で携帯電話型ＴＶ１００からのチャンネル切替要求を据え置き型ＴＶ１３０が受けとると、現在放送中の番組のＥＰＧデータとの比較が開始される。
ｃｈ００１「日本のおやつ」ｃｈ００２「ニュース」は共に類似と該当しないため、候補リスト対象にはならない。ｃｈ００３「競馬パラダイス」は出演者、内容、キーワード、ジャンルの４種類のキー種別が類似と判定され、なおかつ出演者とジャンルは複数で該当するため、合計点（２×３）＋１０＋１０＋（２×２）＝３０点の構成リスト要素を生成し、候補リスト１５３に追加する。次にＢＳ００１「ガッツ競馬」合計点０＋０＋１０＋（２×２）＝１４点の構成リスト要素を生成し、候補リスト１５３に追加する。この際、「競馬パラダイス」３０点に対して「ガッツ競馬」１４点となることから、「ガッツ競馬」は「競馬パラダイス」の後に追加される。引き続き、ＢＳ００２「競馬回顧録」合計点０＋０＋１０＋（２×１）＝１２点についても同様の処理を行い、構成リスト要素を候補リスト１５３に追加する。「競馬パラダイス」３０点、「ガッツ競馬」１４点に対して「競馬回顧録」１２点なので、「競馬回顧録」は候補リストの最後尾に追加される。
以上の結果、候補リスト１５３に格納されている候補リストは図１５のように「競馬パラダイス」「ガッツ競馬」「競馬回顧録」の順での構成となる。
図１６は、この候補リストに基づいて、切替候補が複数ある旨をユーザに伝えるためのテレビ画面の一例を示している。１６００はテレビ画面、１６０１a、１６０１ｂ、１６０１ｃ、はテレビ画面上に表示された候補リストを示しており、現在は１６０１ａにカーソルがある状態を意味している。この状態でリモコンの上下ボタンを用いてカーソルの上下移動を行ない、選択ボタンにて番組を選択する。
１６０１a、１６０１ｂ、１６０１ｃは、それぞれ「競馬パラダイス」「ガッツ競馬」「競馬回顧録」へ対応されており、図１６の状態で選択ボタンが押下されると、「競馬パラダイス」へのチャンネル切替が行われる。
【００３８】
（実施の形態４）
第４の実施の形態は、携帯電話型ＴＶ１００に電話着信が発生した時に、携帯電話型ＴＶ１００から据え置き型ＴＶ１３０に番組付帯情報を送信し、据え置き型ＴＶ１３０で継続して類似番組を視聴可能にするテレビシステムの例である。
本実施の形態におけるテレビシステムの構成図は図１と同様であるため、説明は省略し、本構成における処理フローについて図１７を用いて説明する。まず、電話着信が発生すると、ステップＳ１７０１にて、電話回路部１０１から番組情報抽出部１２１に電話着信イベントを発行する。
番組情報抽出部１２１は、ステップＳ１７０２にて、テレビ視聴中か否かを判断し、視聴中であればステップＳ１７０３へ進む。テレビ視聴中でなければ、何もせずに終了する。
ステップＳ１７０３以降の処理ステップは、図２で示す実施の形態１の処理ステップＳ２０１以降と同様であるため、説明は省略する。
【００３９】
以上、本発明を適用した具体的な実施の形態について説明したが、本発明は上述の実施の形態に制限されることなく種々の変更が可能である。
例えば、実施の形態４は実施の形態１を基本とし、携帯電話型ＴＶ１００の処理ステップのみを変更したものである。同様に実施の形態２および実施の形態３は実施の形態１を基本とし、据え置き型ＴＶ１３０側の構成および処理ステップを変更したものであり、実施の形態４と実施の形態２、あるいは実施の形態４と実施の形態３を組み合わせたテレビシステムを構成することが可能である。
また、実施の形態の例では携帯電話型ＴＶ１００で視聴中の番組をモバイル専用放送としたが、視聴中の番組からＥＰＧデータに相当する情報が取得可能であれば、据え置き型ＴＶと同様の地上波放送、衛星放送、インターネット放送など、あらゆる放送方式で実現することが可能である。
【産業上の利用可能性】
【００４０】
本発明におけるテレビシステムは、携帯電話型ＴＶのＥＰＧデータに含まれる付帯情報を利用して類似の番組を検索しチャンネルを切り替えるため、携帯電話型ＴＶと据え置き型ＴＶで視聴可能か不可能かを意識することなく、継続して視聴をおこなうことができる。よって、携帯電話型ＴＶと据え置き型ＴＶとを連携させるテレビシステムとして有用である。
【図面の簡単な説明】
【００４１】
【図１】実施の形態１におけるテレビシステム構成
【図２】実施の形態１におけるテレビシステムの処理フロー
【図３】一般的なＥＰＧ表示画面例
【図４】番組「日本のおやつ」のＥＰＧデータを可視化した例
【図５】番組「ニュース」のＥＰＧデータを可視化した例
【図６】番組「競馬パラダイス」のＥＰＧデータを可視化した例
【図７】番組「ガッツ競馬」のＥＰＧデータを可視化した例
【図８】番組「競馬回顧録」のＥＰＧデータを可視化した例
【図９】番組「競馬パラダイスモバイル」のＥＰＧデータを可視化した例
【図１０】実施の形態２におけるテレビシステム構成
【図１１】実施の形態２におけるテレビシステムの処理フロー
【図１２】実施の形態３におけるテレビシステム構成
【図１３】実施の形態３におけるテレビシステムの処理フロー
【図１４】点数ＤＢ１５１のデータを可視化した例
【図１５】候補リスト１５３のリストデータを可視化した例
【図１６】実施の形態３におけるチャンネル選択用画面表示の例
【図１７】実施の形態４におけるテレビシステムの処理フロー
【符号の説明】
【００４２】
１００  携帯電話型ＴＶ
１０１  電話回路部
１０２  ＬＣＤ
１０３  スピーカ
１０４  リモコン送信回路部
１１０  ＴＶ回路部
１１１  チューナー復調器
１１２  出力制御
１１３  ＥＰＧ
１１４  ＴＶ制御
１１５  選局ボタン
１２０  リモコン転送ボタン
１２１  番組情報抽出部
１２２  リモコンデータ生成部
１３０  据え置き型ＴＶ
１３２  ディスプレイ
１３３  スピーカ
１３４  リモコン受信回路部
１３５  リモコンデータ解析部
１３６  チャンネル切替部
１４０  ＴＶ回路部
１４１  チューナー復調器
１４２  出力制御
１４３  ＥＰＧ
１４４  ＴＶ制御
１５０  関連番組検索部
１５１  点数ＤＢ
１５２  切替候補
１５３  候補リスト
１５４  候補リスト表示部
１６００  テレビ画面
１６０１ａ  チャンネル切替候補リスト１
１６０１ｂ  チャンネル切替候補リスト２
１６０１ｃ  チャンネル切替候補リスト３
【図１】
2006319680.tif 000003
【図２】
2006319680.tif 000004
【図３】
2006319680.tif 000005
【図４】
2006319680.tif 000006
【図５】
2006319680.tif 000007
【図６】
2006319680.tif 000008
【図７】
2006319680.tif 000009
【図８】
2006319680.tif 000010
【図９】
2006319680.tif 000011
【図１０】
2006319680.tif 000012
【図１１】
2006319680.tif 000013
【図１２】
2006319680.tif 000014
【図１３】
2006319680.tif 000015
【図１４】
2006319680.tif 000016
【図１５】
2006319680.tif 000017
【図１６】
2006319680.tif 000018
【図１７】
2006319680.tif 000019